(57)【要約】【課題】絶縁テープを挟持した状態で、絶縁テープを回転できる間接活線工事用アダプタを提供する。【解決手段】アダプタ１０は、アダプタ本体１と係止手段２を備える。アダプタ本体１は、把持爪９１ａ・９１ｂが挿入可能な穴部１１ｈを開口している。係止手段２は、アダプタ本体１を把持爪９１ａ・９１ｂを固定できる。アダプタ本体１は、対向面１０ａから突出した把持部材３を備える。把持部材３は、先端部が絶縁テープＴｉの巻芯Ｃｗの側面に当接できる。把持部材３は、アダプタ本体１に対して回転自在に保持されている。一対の把持腕９ａ・９ｂを閉じると、一対の把持部材３・３が絶縁テープＴｉの巻芯Ｃｗを回転自在に保持できる。【選択図】図１
2020018124.tif 000002
【特許請求の範囲】
【請求項１】
絶縁操作棒の先端部に設けた一対の開閉する湾曲した把持腕に取り付けでき、対向する対向面の間に絶縁テープを導入可能な、一組で構成される間接活線工事用アダプタであって、
一対の前記把持腕から遠心方向に突出する把持爪が挿入可能な穴部を前記対向面と反対側に開口したブロック状のアダプタ本体と、
前記アダプタ本体に取り付け、前記把持爪の把持面と反対面から当該把持爪を固定する係止手段と、を備え、
前記アダプタ本体は、前記対向面から突出し、先端部が前記絶縁テープの巻芯の側面に当接自在な円柱状の把持部材を有し、
前記把持部材は、前記アダプタ本体に対して回転自在に保持されている、間接活線工事用アダプタ。
【請求項２】
前記係止手段は、
先端部が前記穴部の内壁から突出できると共に、前記把持爪の把持面と反対面から当該把持爪に当接する係合ピンと、
前記アダプタ本体の内部に保持され、前記係合ピンが前記把持爪に向かう力を付勢している第１圧縮コイルばねと、を有している請求項１記載の間接活線工事用アダプタ。
【請求項３】
前記アダプタ本体は、前記把持部材が前記対向面から突出する力を付勢している第２圧縮コイルばねを内部に有している、請求項１又は２記載の間接活線工事用アダプタ。
【請求項４】
前記把持部材は、その先端部を前記絶縁テープの巻芯の内径より直径が大きい球面で形成している、請求項１から３のいずれかに記載の間接活線工事用アダプタ。
【発明の詳細な説明】
【技術分野】
【０００１】
本発明は、間接活線工事用アダプタに関する。特に、間接活線工事用の絶縁ヤットコの先端部に設けた一対の開閉する把持腕に着脱自在な一組のアダプタであって、電線の充電部又は電柱などを防護する絶縁シートの周囲を巻回する絶縁テープを挟持した状態で、絶縁テープを回転できる間接活線工事用アダプタの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
又、このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。
【０００５】
配電工事を活線作業で実施する場合には、予め、電線の充電部又は電柱などを絶縁シートで覆っておき、絶縁ヤットコの先端部に設けた一対の把持腕がこれらの防護対象物に接触しないようにしている。
【０００６】
又、上述した絶縁ヤットコを用いて、電線又は電柱などの防護対象物から絶縁シートが脱落しないように、絶縁シートの外周を螺旋状に連続して巻き付けできる絶縁テープが開示されている（例えば、特許文献１参照）。
【０００７】
一方、間接活線工事用の絶縁ヤットコの先端部に設けた一対の開閉する把持腕に着脱自在な一組のアダプタであって、電線の充電部又は電柱などを防護する絶縁シートの周囲を巻回する絶縁テープが脱落することを抑制できる間接活線工事用アダプタも開示されている（例えば、特許文献２参照）。
【先行技術文献】
【特許文献】
【０００８】
【特許文献１】特開２０１８−１１４０１号公報
【特許文献２】特開２０１６−１３５０３２号公報
【発明の概要】
【発明が解決しようとする課題】
【０００９】
図８は、従来技術による間接活線工事用絶縁テープの使用状態を示す斜視図である。なお、本願の図８は、特許文献１の図３に相当している。
【００１０】
図８を参照して、配電工事を活線作業で実施する場合には、絶縁ヤットコ（図示せず）を用いて、予め、電線Ｗの充電部を絶縁シートＳｐで覆っておく。次に、絶縁テープＴｉの先端部を電線Ｗの外周又は絶縁シートＳｐの外面に貼着し、一対の把持腕９ａ・９ｂで絶縁テープＴｉの側面を把持する。
【００１１】
次に、図８に示すように、電線Ｗなどの防護対象物から絶縁テープＴｉを引き延ばし、一度、絶縁テープＴｉを解放した後に、防護対象物の反対側から一対の把持腕９ａ・９ｂで絶縁テープＴｉの側面を把持し、絶縁シートＳｐの外周を巻き付ける。この動作を繰り返し、絶縁シートＳｐの外周を絶縁テープＴｉで螺旋状に連続して巻き付けることで、電線Ｗなどの防護対象物から絶縁シートＳｐが脱落することを防止できる。
【００１２】
しかし、図８を参照すると、絶縁テープＴｉの巻き付け過程では、絶縁ヤットコ（図示せず）を用いて、絶縁テープＴｉの側面を着脱自在に確実に把持することが困難なことから、絶縁テープＴｉを脱落させる心配があった。このため、作業に手間を取っていた。又、作業者の熟練度によって、絶縁テープＴｉの巻き付けの仕上がりが大きく異なるという問題があった。
【００１３】
特許文献２による間接活線工事用アダプタは、一方のアダプタには、絶縁テープの一方の側面に当接できる帯板体を備え、他方のアダプタには、絶縁テープの他方の側面に当接できる楔体を備えている。又、一方のアダプタの帯板体は、絶縁テープの巻芯に挿脱自在な円柱状のピンを突出している。
【００１４】
特許文献２による間接活線工事用アダプタは、一対の把持腕を閉じた状態では、帯板体と楔体で絶縁テープの両側面を確実に把持でき、一対の把持腕を開いた状態では、絶縁テープの巻芯にピンが挿入されているので、絶縁テープの脱落を防止できる、としている。
【００１５】
又、特許文献２による間接活線工事用アダプタは、一対の把持腕を閉じる力を絶縁ヤットコの手許部で調整することで、適度に絶縁テープを回転できるので、絶縁テープを引き出すときに、絶縁テープの両側面に加える圧力の強さを作業者が自在に調整できる、としている。
【００１６】
しかし、特許文献２による間接活線工事用アダプタは、絶縁テープの両側面に加える圧力の強さを絶縁ヤットコの手許部で感じ取るには、熟練を要するという問題がある。防護対象物から絶縁テープを引き出すときに、熟練を要することなく、絶縁テープを挟持した状態で、絶縁テープを回転できる間接活線工事用アダプタが求められている。そして、以上のことが本発明の課題といってよい。
【００１７】
本発明は、このような課題に鑑みてなされたものであり、熟練を要することなく、絶縁テープを挟持した状態で、絶縁テープを回転できる間接活線工事用アダプタを提供することを目的とする。
【課題を解決するための手段】
【００１８】
本発明者は、一組の間接活線工事用アダプタを絶縁操作棒の先端部に設けた一対の開閉する把持腕に取り付け、これらの間接活線工事用アダプタは、把持腕から遠心方向に突出する把持爪に固定したブロック状のアダプタ本体を備え、これらのアダプタ本体には、互いに対向する面から突出し、先端部が絶縁テープの巻芯に当接自在な把持部材を設け、把持部材をアダプタ本体に対して回転自在に保持することで、絶縁テープを挟持した状態で、絶縁テープを回転できると考え、これに基づいて、以下のような新たな間接活線工事用アダプタを発明するに至った。
【００１９】
（１）本発明による間接活線工事用アダプタは、絶縁操作棒の先端部に設けた一対の開閉する湾曲した把持腕に取り付けでき、対向する対向面の間に絶縁テープを挟持可能な、一組で構成される間接活線工事用アダプタであって、一対の前記把持腕から遠心方向に突出する把持爪が挿入可能な穴部を前記対向面と反対側に開口したブロック状のアダプタ本体と、前記アダプタ本体に取り付け、前記把持爪の把持面と反対面から当該把持爪を固定する係止手段と、を備え、前記アダプタ本体は、前記対向面から突出し、先端部が前記絶縁テープの巻芯の側面に当接自在な円柱状の把持部材を有し、前記把持部材は、前記アダプタ本体に対して回転自在に保持されている。
【００２０】
（２）前記係止手段は、先端部が前記穴部の内壁から突出できると共に、前記把持爪の把持面と反対面から当該把持爪に当接する係合ピンと、前記アダプタ本体の内部に保持され、前記係合ピンが前記把持爪に向かう力を付勢している第１圧縮コイルばねと、を有していることが好ましい。
【００２１】
（３）前記アダプタ本体は、前記把持部材が前記対向面から突出する力を付勢している第２圧縮コイルばねを内部に有していることが好ましい。
【００２２】
（４）前記把持部材は、その先端部を前記絶縁テープの巻芯の内径より直径が大きい球面で形成していてもよい。
【発明の効果】
【００２３】
本発明による間接活線工事用アダプタは、一対のアダプタ本体には、互いに対向する対向面から突出し、先端部が絶縁テープの巻芯に当接自在な把持部材を設け、把持部材をアダプタ本体に対して回転自在に保持することで、絶縁テープを挟持した状態で、絶縁テープを回転できる。
【図面の簡単な説明】
【００２４】
【図１】本発明の一実施形態による間接活線工事用アダプタの構成を示す斜視図である。
【図２】前記実施形態による間接活線工事用アダプタの構成を示す図であり、図２（Ａ）は、間接活線工事用アダプタの斜視図、図２（Ｂ）は、間接活線工事用アダプタの要部縦断面図、図２（Ｃ）は、間接活線工事用アダプタの要部横断面図である。
【図３】前記実施形態による間接活線工事用アダプタの要部を縦断面で示す正面図であり、一対の把持腕が最も開角した状態で、一対の把持腕に一組の間接活線工事用アダプタを取り付けた状態図である。
【図４】図３の状態変化図であり、一対の把持腕を閉じて、一組の間接活線工事用アダプタが閉じた状態を示す正面図である。
【図５】高圧配電線などを把持するための絶縁操作棒の正面図である。
【図６】図５に示した絶縁操作棒の先端部を拡大した正面図である。
【図７】図６の左側面図である。
【図８】従来技術による間接活線工事用絶縁テープの使用状態を示す斜視図である。
【発明を実施するための形態】
【００２５】
以下、図面を参照して本発明を実施するための形態を説明する。
【００２６】
（絶縁操作棒の構成）
最初に、本発明の一実施形態による間接活線工事用絶縁テープの構成を説明する前に、絶縁テープを操作するための絶縁操作棒の一例による構成を説明する。
【００２７】
図５から図７を参照すると、絶縁操作棒９は、長尺の操作棒９１と把持工具９２で構成している。又、絶縁操作棒９は、作動棒９３を備えている。把持工具９２は、操作棒９１の先端部に取り付けている。
【００２８】
図５又は図６を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００２９】
図５を参照すると、作動棒９３は、操作棒９１に沿って保持されている。作動棒９３の先端部は、他方の把持腕９ｂに回動自在に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００３０】
図５を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図５又は図６は、一方の把持腕９ａに対して、他方の把持腕９ｂが最大に開いた状態を示している。
【００３１】
図６又は図７を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図５又は図６を参照して、操作レバー９４を握ると、把持面９０ｂを把持面９０ａに近づけることができる。なお、把持面９０ａには、綾目ローレットなどの粗面を形成している。
【００３２】
図５から図７に示した絶縁操作棒９は、高所に配置された高圧配電線などを一対の把持爪９１ａ・９１ｂで把持できる、いわゆる「絶縁ヤットコ」になっている。
【００３３】
［間接活線工事用アダプタの構成］
次に、本発明の一実施形態による間接活線工事用アダプタの構成を説明する。
【００３４】
（全体構成）
図１から図４を参照すると、本発明の一実施形態による間接活線工事用アダプタ（以下、アダプタと略称する）１０は、ブロック状のアダプタ本体１、係止手段２、及び一組の円柱状の把持部材３・３を備えている。
【００３５】
（アダプタ本体の構成）
図１から図４を参照すると、アダプタ本体１は、絶縁操作棒９の先端部に設けた一対の開閉する湾曲した把持腕９ａ・９ｂに取り付けることができる。又、アダプタ本体１は、対向する一対の対向面１０ａ・１０ａの間に、絶縁テープＴｉを導入できる。そして、把持腕９ａ・９ｂを閉じることで、一対の対向面１０ａ・１０ａの間に、絶縁テープＴｉを挟持することもできる。
【００３６】
図２を参照すると、アダプタ本体１は、穴部１１ｈを対向面１０ａと反対側に開口している。穴部１１ｈには、一対の把持腕９ａ・９ｂから遠心方向に突出する把持爪９１ａ又は把持爪９１ｂを挿入できる（図３又は図４参照）。
【００３７】
図１又は図３及び図５を参照すると、アダプタ本体１は、対向面１０ａから突出した円柱状の把持部材３を備えている。把持部材３の先端部は、絶縁テープＴｉの巻芯Ｃｗの側面に当接できる（図４参照）。そして、把持部材３は、アダプタ本体１に対して回転自在に保持されている。
【００３８】
（係止手段の構成）
次に、係止手段２の構成を説明する。図２を参照すると、係止手段２は、係合ピン２１と第１圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が穴部１１ｈの内壁から内部に突出している（図２（Ｂ）参照）。鍔部２１ｆは、円筒部２ｐの上端縁に当接している。
【００３９】
図２（Ｂ）を参照すると、第１圧縮コイルばね２２は、軸部２１ｓの外周を巻回している。又、第１圧縮コイルばね２２は、円筒部２ｐの内部に収容されている。第１圧縮コイルばね２２の一端部は、軸部２１ｓに固定されている。第１圧縮コイルばね２２の他端部は、円筒部２ｐの内壁に固定されている。そして、第１圧縮コイルばね２２は、軸部２１ｓの先端部が穴部１１ｈの内部に突出する力を付勢している。
【００４０】
図２（Ａ）又は図２（Ｂ）を参照して、鍔部２１ｆを把持して、第１圧縮コイルばね２２の弾性力に抗して、係合ピン２１を引き上げると、把持爪９１ａ又は把持爪９１ｂを穴部１１ｈに収容できる（図１又は図３参照）。そして、鍔部２１ｆを解放すると、把持爪９１ａ又は把持爪９１ｂの把持面９０ａ・９０ｂと反対面から把持爪９１ａ又は把持爪９１ｂに係合ピン２１の先端部を当接できる。把持爪９１ａ又は把持爪９１ｂには、係合ピン２１の先端部が進入する窪み９ｄを設けている（図１又は図３参照）。
【００４１】
図２（Ｂ）又は図２（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００４２】
図２（Ｂ）又は図２（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪９１ａ又は把持爪９１ｂを穴部１１ｈに収容した後に、係合ピン２１を逆方向に回動することで、アダプタ本体１を把持爪９１ａ又は把持爪９１ｂに固定できる。
【００４３】
（把持部材の構成）
次に、把持部材３の構成を説明する。図３又は図４を参照すると、把持部材３は、軸部３１ｓと鍔部３１ｆで構成している。軸部３１ｓは、アダプタ本体１の対向面１０ａから突出した状態で、アダプタ本体１の内部に収容されている。鍔部３１ｆは、アダプタ本体１の内部からアダプタ本体１の内壁に当接している。これにより、把持部材３がアダプタ本体１から脱落することを防止できる。
【００４４】
図１又は図３及び図５を参照すると、把持部材３は、その先端部を球面３ｓで形成している。球面３ｓは、絶縁テープＴｉの巻芯Ｃｗの内径より直径を大きく形成している。これにより、把持部材３の先端部が絶縁テープＴｉの巻回部に側面から当接することなく、巻芯Ｃｗのみに当接できる。
【００４５】
図３又は図４を参照すると、アダプタ本体１は、第２圧縮コイルばね３２を内部に有している。第２圧縮コイルばね３２は、把持部材３が対向面１０ａから突出する力を付勢している。なお、把持部材３及び第２圧縮コイルばね３２をアダプタ本体１の収容穴に収容後は、この収容穴は円盤状の蓋板３３で封止している。
【００４６】
［間接活線工事用アダプタの作用］
次に、実施形態によるアダプタ１０の操作方法を説明しながら、アダプタ１０の作用及び効果を説明する。
【００４７】
図１から図３を参照すると、アダプタ１０は、把持爪９１ａ又は把持爪９１ｂを穴部１１ｈの一方の開口端から挿入し（図３参照）、係合ピン２１で固定できる。一組のアダプタ１０・１０は、対向する一対の把持部材３・３の間に絶縁テープＴｉを導入でき、絶縁テープＴｉを挟持できる（図４参照）。
【００４８】
図３に示した状態から、操作レバー９４を握って、操作レバー９４を操作棒９１に近づけると（図５参照）、一方のアダプタ１０に対して、他方のアダプタ１０を閉じることができる。つまり、一方の把持部材３に対して、他方の把持部材３を閉じることができる（図４参照）。図４に示した状態では、一方の把持部材３の先端部と他方の把持部材３ｂの先端部が絶縁テープＴｉの巻芯Ｃｗを挟持することで、絶縁テープＴｉを回転自在に保持できる。
【００４９】
実施形態によるアダプタ１０は、電線Ｗなどの防護対象物から絶縁テープＴｉを引き延ばすときには（図８参照）、一対の把持部材３・３が絶縁テープＴｉの巻芯Ｃｗを回転自在に保持できるので、絶縁テープＴｉの巻き付け作業における操作性を向上できる。
【００５０】
図４又は図５を参照して、操作レバー９４を強く握って、操作レバー９４を操作棒９１に近づけることで、一対の把持部材３・３が絶縁テープＴｉの巻芯Ｃｗを強圧でき、絶縁テープＴｉの回転を停止できる。これにより、絶縁シートＳｐの外周を強く巻き付けることもできる。
【００５１】
図３又は図４及び図５を参照すると、実施形態によるアダプタ１０は、把持部材３が対向面１０ａから突出する力を付勢している第２圧縮コイルばね３２をアダプタ本体１の内部に有し、第２圧縮コイルばね３２の圧力を操作レバー９４で感じ取ることができ、絶縁テープＴｉの巻き付け作業における操作性を向上できる。
【００５２】
実施形態によるアダプタ１０は、一対のアダプタ本体１には、互いに対向する対向面１０ａ・１０ａから突出し、先端部が絶縁テープＴｉの巻芯Ｃｗに当接自在な把持部材３を設け、把持部材３をアダプタ本体１に対して回転自在に保持することで、絶縁テープＴｉを挟持した状態で、絶縁テープＴｉを回転できる。
【００５３】
本発明による間接活線工事用アダプタは、次のような効果が期待される。
（１）間接活線工事用の絶縁ヤットコを用いて、絶縁テープを確実に保持できる。
（２）絶縁テープを保持した状態で絶縁テープを回転させることができる。
（３）絶縁テープの巻き付け作業中に、絶縁ヤットコから絶縁テープが脱落することを防止できる。
【００５４】
本発明は、絶縁操作棒などを用いて、無停電状態の電線の充電部を防護する絶縁シートの周囲を絶縁テープで巻回する間接活線工事用のアダプタを開示したが、本発明のアダプタは、間接活線工事用に限定されることなく、他の分野でも応用されることが期待される。
【符号の説明】
【００５５】
１  アダプタ本体
２  係止手段
３  把持部材
９  絶縁操作棒
９ａ・９ｂ  一対の把持腕
１０  アダプタ（間接活線工事用アダプタ）
１０ａ・１０ａ  対向面
１１ｈ  穴部
９０ａ・９０ｂ  把持面
９１ａ・９１ｂ  把持爪
【図１】
2020018124.tif 000003
【図２】
2020018124.tif 000004
【図３】
2020018124.tif 000005
【図４】
2020018124.tif 000006
【図５】
2020018124.tif 000007
【図６】
2020018124.tif 000008
【図７】
2020018124.tif 000009
【図８】
2020018124.tif 000010